(57)【要約】      （修正有）【課題】上下方向に設置できる太陽光発電装置を提供する。【解決手段】太陽光発電装置１０は、室内側基体１と室外側基体５とを備え、窓等の明るさを必要とする場所に設置される。室内側基体１は、室内側に設置されている。室内側基体１は、ガラス部材１ａと太陽光発電パネル７ａとを有している。ガラス部材１ａは、ガラスで形成され、上方向を向く水平面と、室外側斜め下方向を向く傾斜面とから成るノコギリ状の凹凸を持つ部材である。太陽光発電パネル７ａは、水平面３に接し、受光面を下に向けて取り付けられている。なお、太陽光発電パネル７ａは、必ずしも設けなくてもよい。ただし、太陽光発電パネル７ａが接する水平面には、遮光用の塗料を塗布する必要がある。更に、太陽光発電装置１０の室内側基体１を省略することもできる。【選択図】図１
0003173456.tif 000002
【実用新案登録請求の範囲】
【請求項１】
傾斜面と水平面で構成される第一の凹凸が上下方向に複数形成された第１のガラス部材と、
前記各水平面に取り付けられた太陽光発電パネルと、を備えたことを特徴とする太陽光発電装置。
【請求項２】
請求項１記載の太陽光発電装置において、
前記第１の凹凸にはまり合う第２の凹凸が形成された、第２のガラス部材を備えたことを特徴とする太陽光発電装置。
【請求項３】
請求項２記載の太陽光発電装置において、
前記第２の凹凸を構成する水平面に更に太陽光発電パネルを備えたことを特徴とする太陽光発電装置。
【請求項４】
請求項１記載の太陽光発電装置において、
前記傾斜面に太陽光発電パネルを更に備えたことを特徴とする太陽光発電装置。
【考案の詳細な説明】
【技術分野】
【０００１】  本考案は上下方向に設置できる、太陽光発電装置に関するものである。
【背景技術】
【０００２】  従来の太陽光発電装置は、表面及び裏面共に連続的な曲面形状をなしており、透明媒質からなる導光板の左右両端面に、太陽電池設置部が設けられ、ここに太陽電池が設置されている。この導光板に表面から入射した太陽光は、導光板の裏面に到達し、ここに設けられたミラーで反射され、再び表面に戻る。表面に戻った太陽光は表面で全反射され、これら反射及び全反射を繰り返しつつ端面に設けられた太陽電池設置部まで到達し、太陽電池に入射される（例えば特許文献１参照）。
ところで、従来の太陽光発電装置は、ほとんど屋根に設置されていて、ほぼ水平に並べられている。
【先行技術文献】
【特許文献】
【特許文献１】特開平１１−４６００８号公報
【考案の開示】
【考案が解決しようとする課題】
【０００３】  しかし、従来の太陽光発電装置は、住宅の屋根の造りによっては、設置できない場合がある。
また、太陽光発電装置は、設置面積が広く必要であり、発電の機能しか有していない。
更に、発電の機能しか有していないので、コストも高くなる。
本考案は、上下方向に設置できる、太陽光発電装置を提供することを目的とする。
【課題を解決するための手段】
【０００４】  前記目的に沿う第１の発明に係る太陽光発電装置は、傾斜面と水平面で構成される第一の凹凸が上下方向に複数形成された第一のガラス部材と、
前記各水平面に取り付けられた太陽光発電パネルと、を備える。【０００５】  第１の考案に係る太陽光発電装置において、
前記第１の凹凸にはまり合う第２の凹凸が形成された、第２のガラス部材を備えることが好ましい。【０００６】  第１の考案に係る太陽光発電装置において、
前記第２の凹凸を構成する水平面に更に太陽光発電パネルを備えることが好ましい。【０００７】  第１の考案に係る太陽光発電装置において、
前記傾斜面に太陽光発電パネルを更に備えることが好ましい。
【考案の効果】
【０００８】  本考案によれば、太陽光発電装置を上下方向に設置できる。
【図面の簡単な説明】
【０００９】
【図１】本考案の第１の実施の形態に係る太陽光発電装置の側面図である。
【図２】同太陽光発電装置が有する、室内側基体の側面図である。
【図３】同太陽光発電装置の室外側基体を示す側面図である。
【図４】本考案の第２の実施の形態に係る太陽光発電装置の側面図である。
【考案を実施するための最良の形態】
【００１０】  続いて、添付した図面を参照しつつ、本考案を具体化した実施の形態につき説明し、本考案の理解に供する。なお、各図において、説明に関連しない部分は図示を省略する場合がある。【００１１】＜第１の実施の形態＞
本考案の第１の実施の形態に係る太陽光発電装置１０は、発電機能に加え、窓としての機能を有している。
太陽光発電装置１０は、窓枠８に取り付けられ、室内側基体１と、室外側基体５とを備えている。【００１２】（室内側基体１の説明）
室内側基体１は、室内側に設置されている。室内側基体１は、ガラス部材１ａと太陽光発電パネル７ａとを有している。
図２に示すように、ガラス部材１ａは、ガラスで形成され、上方向を向く水平面３ａと、室外側斜め下方向を向く傾斜面４ａとから成るノコギリ状の凹凸を持つ部材である。
太陽光発電パネル７ａは、水平面３に接し、受光面を下に向けて取り付けられている。
なお、太陽光発電パネル７ａは、必ずしも設けなくてもよい。ただし、太陽光発電パネル７ａが接する水平面３ａには、遮光用の塗料を塗布する必要がある。更に、太陽光発電装置１０の室内側基体１を省略することもできる。【００１３】（室外側基体５の説明）
室外側基体５は、室外側に設置されている。室外側基体５はガラス部材５ａと太陽光発電パネル７ｂとを有している。
図３に示すように、ガラス部材５ａは、ガラスで形成され、下方向を向く水平面３ｂと、室内側斜め上方向を向く傾斜面４ｂとから成るノコギリ状の凹凸を持つ部材である。
凹凸が形成された面の反対側（室外側）には、室外表面（垂直面）６が設けられている。
太陽光発電パネル７ｂは、水平面３ｂに接し、受光面を上に向けて取り付けられている。
室内側基体１と室外側基体５は、太陽光発電パネルの７ａ、７ｂの受光面とは反対側の面同士が接着されることによって、組み合わされる。【００１４】  次に太陽光発電装置１０の動作について説明する。
太陽光は、室外側基体５の室外表面６を通過すると、入射角を有しながら、太陽光発電パネル７ｂ及び傾斜面４ｂへと進む。
太陽光発電パネル７ｂが取り付けられている水平面３ｂ及び傾斜面４ｂも、鏡面のような状態となっているので、室外表面６から入射した太陽光の一部は、水平面３ｂと傾斜面４ｂとで、反射を繰り返し、太陽光発電パネル７ｂに集約される。すなわち、太陽光は太陽光発電パネル７ｂに当たり発電される。【００１５】  室内光は、室内側基体１の室内表面２を通過すると、入射角を有しながら、傾斜面４ａへと進む。傾斜面４ａに当たった光は、太陽光発電パネル７ａへと向かい、発電される。
ちなみに、室内側基体１の傾斜面４ａと室外側基体５の傾斜面４ｂとの間は接着されていないため、室外側からの光は傾斜面４ａ、４ｂを通過しない。その結果、目線よりも下側の範囲について、室外から室内が覗かれることがない。
このように、太陽光発電装置１０は、室内側基体１と、室外側基体５とを組み合わせたことにより、発電の機能に加え、窓としての機能も有する。【００１６】＜第２の実施の形態＞
続いて、第２の実施の形態に係る太陽光発電装置８８について説明する。
太陽光発電装置８８は、発電機能に加え、壁としての機能を有している。
太陽光発電装置８８は、図４に示すように、壁５０に取り付けられ、基体としてガラス部材２０及び太陽光発電パネル３５、４０を備えている。
ガラス部材２０は、ガラスで形成され、下方向を向く水平面３ｂと、室内側斜め上方向を向く傾斜面４ｂとから成るノコギリ状の凹凸を持つ部材である。
太陽光発電パネル３５及び太陽光発電パネル４０は、それぞれ、水平面３ｂ及び傾斜面４ｂに取り付けられる。【００１７】  次に、太陽光発電装置８８の動作について説明する。
太陽光は、ガラス部材２０に入ると、水平面３ｂ及び傾斜面４ｂに当たり、水平面３ｂと傾斜面４ｂとで、反射を繰り返し、太陽光発電パネル３５、４０に集約され、各太陽光発電パネル３５、４０にて発電される。
太陽光発電装置８８の太陽光発電パネル３５、４０の総受光面積は、第１の実施の形態に係る太陽光発電装置１０の太陽光発電パネル７ａ、７ｂの総受光面積よりも広いので、より大きな電力を発生させることができる。【００１８】  なお、本考案は、前述の実施の形態に限定されるものではなく、本考案の要旨を変更しない範囲での変更は可能である。例えば、前述の実施の形態や変形例の一部又は全部を組み合わせて考案を構成する場合も本考案の技術的範囲に含まれる。【００１９】  太陽光発電装置のガラス部材に代えて、例えば、透明のプラスチック等、任意の透明な部材とすることができる。
また、太陽光発電パネルに代えて、例えばシリコンで形成された発電可能な発電体とすることができる。【００２０】  また、本考案に係る太陽光発電装置を、複数並べて設置して、大規模発電システムを構築することができる。従って、従来の水平方向に並べる太陽光発電装置による大規模発電システムと比べて、少ない土地で発電できる。【００２１】  また、第２の実施の形態に係る、太陽光発電装置６８は壁として使用されることに、限定されるものではない。
太陽光発電装置８８は、例えば、看板や乗り物のボディ、山の斜面等と、あらゆる水平面以外の面として使用することができる。
太陽光発電装置８８は、一体形成された太陽光発電パネルを水平面３ｂと傾斜面４ｂに沿って、折り曲げて取り付けることもできる。この場合、太陽光発電装置８８の製作が容易となる。
また、太陽光発電装置８８の壁５０と凹凸との間に形成される空間は透明体で埋められていなくても良い。
【符号の説明】
【００２２】１  室内側基体
１ａ  ガラス部材
２  室内表面
３  水平面
３ａ  水平面
３ｂ  水平面
４ａ  傾斜面
４ｂ  傾斜面
５  室外側基体
５ａ  ガラス部材
６  室外表面
７ａ  太陽光発電パネル
７ｂ  太陽光発電パネル
８  窓枠
１０  太陽光発電装置
２０  ガラス部材
３５  太陽光発電パネル
４０  太陽光発電パネル
５０  壁
８８  太陽光発電装置
【図１】
0003173456.tif 000003
【図２】
0003173456.tif 000004
【図３】
0003173456.tif 000005
【図４】
0003173456.tif 000006